(57)【特許請求の範囲】
【請求項１】
電気掃除機の本体と、前記本体に内蔵され吸引力を発生させる電動送風機と、一端を前記本体に接続され他端を延長管に接続される可撓性ホースと、前記延長管の一端に接続される床用吸込具と、前記床用吸込具の下方に設けた開口部と、前記開口部と床面との間に隙間を設定する突部と、前記開口部の全周囲あるいは少なくとも周囲のいずれか１箇所に設けた流路遮断部と、負圧を蓄える圧力貯蔵部を有し、前記流路遮断部が前記開口部と床面との間の隙間通じて前記開口部へ流れる吸引通路を開閉制御することで前記床用吸込具内部を減圧すると同時に前記圧力貯蔵部に蓄えられた負圧も加えて前記床用吸込具の内圧をさらに減圧する構成とした電気掃除機。
【請求項２】
流路遮断部を、弾性体とした請求項１に記載の電気掃除機。
【請求項３】
流路遮断部は、床面に最も近接した場合において、床面とは非接触とする構成とした請求項１または２に記載の電気掃除機。
【請求項４】
流路遮断部は、吸引通路の遮断と再開を交互かつ自動的に連続して行う構成とした請求項１〜３のいずれか１項に記載の電気掃除機。
【請求項５】
電気掃除機の塵埃吸引経路のいずれかの箇所に塵埃吸引の有無を検知する検知部と、前記検知部での検知信号を基に前記流路遮断部を制御する制御装置とを有し、塵埃の吸引を前記検知部にて検知した場合にのみ流路遮断部の開閉動作を行い、塵埃の吸引を検知していない場合には、流路遮断部を床面から離し隙間の開いた位置に固定する構成とした請求項１〜４のいずれか１項に記載の電気掃除機。
【発明の詳細な説明】
【技術分野】
【０００１】
本発明は、一般家庭等で使用される電気掃除機に関するものである。
【背景技術】
【０００２】
従来、この種の電気掃除機は清掃作業時に、床用吸込具に発生させた吸引する流量と圧力によって塵埃を吸込んでいる。さらに集塵性能を向上させるために、床用吸込具の吸込み口の一部を遮断して、吸引する圧力を高めている（例えば、特許文献１参照）。
【０００３】
また、壁際等の特定の方向からの吸込み力を上げるために、床用吸込具の吸込み方向を切替えて床用吸込具内部の吸引圧力を低下させない構成としている（例えば、特許文献２参照）。
【０００４】
図８（ａ）は、前記特許文献１に記載された従来の電気掃除機の床用吸込具の前進時の状態を示す側断面図であり、図８（ｂ）は、同、後退時の状態を示す側段面図である。また、図９は、同、電気掃除機の構成を示す側面図である。
【０００５】
図８（ａ）（ｂ）及び図９に示すように、掃除機本体１と、可撓性ホース２と、延長管３と、操作ハンドル４と、床用吸込具５と、開口部６と、開口部６の前後に配してこの開口部６と床面との距離を一定に保つ走行ローラー７、８と、流路遮断部である前リップ９及び後リップ１０と、電動送風機１１から構成されている。
【０００６】
また、図１０（ａ）は、前記特許文献２に記載された従来の電気掃除機の床用吸込具の床面清掃時の状態を示す側段面図を示すものであり、図１０（ｂ）は、同、壁際清掃時の状態を示す側段面図である。
【０００７】
図１０（ａ）（ｂ）に示すように、前記特許文献１の流路遮断部（前リップ７及び後リップ８）の代わりに前方開口部１２と、流路切換部１３が設けられている。
【特許文献１】特開２０００−８３８７２号公報
【特許文献２】特開２００３−１４４３５６号公報
【発明の開示】
【発明が解決しようとする課題】
【０００８】
しかしながら、前記従来の構成（前記特許文献１）では、床用吸込具５が前進する場合（図８（ａ）の矢印Ａ）には、流路遮断部である後リップ８が床用吸込具５から吸込む気流を遮断するので、床用吸込具５内部が減圧され、結果として床用吸込具５前方の隙間からの吸引力が増加し（矢印Ｂ）、床面から吸い上げられた塵埃はさらに延長管３へと吸引されていくことになる（矢印Ｃ）。
【０００９】
また、床用吸込具５が後退する場合（図８（ｂ）の矢印Ｄ）には、前進時とは逆に前リップ７が床用吸込具５から吸込む気流を遮断し、床用吸込具５後方の隙間からの吸引力が増加することになる（矢印Ｅ）。
【００１０】
一方、他の前記従来の構成（前記特許文献２）では、図１０（ａ）に示すように、床面清掃時には床用吸込具５の前方に設けた前方開口部１２が、床用吸込具５内部に回動自在に取り付けられた流路切換部１３によって塞がれており、床用吸込具５の下方に設けた開口部６だけから吸引している（矢印Ｂ）。
【００１１】
また、図１０（ｂ）に示すように、壁際清掃時には床用吸込具５の下方に設けた開口部６が、下方へ回動した流路切換部１３によって塞がれており、壁際に近い前方開口部１２だけから吸引している（矢印Ｆ）。
【００１２】
これらの電気掃除機において、さらに高い集塵性能を実現するために床用吸込具５内部の圧力をさらに減圧する必要があるが、このためには内蔵する電動送風機１１から発生させる吸引圧力を増す必要がある。
【００１３】
また床用吸込具５と床面との隙間を狭くすることで、床用吸込具５内部の吸引圧力を増すことも可能だが、この場合には大きな塵埃を吸込むことが困難となり、さらには床用吸込部５が常に床面に強い力で吸着していることになるため、床用吸込具５を前後左右に操作するために大きな操作力が必要となるという課題を有していた。
【００１４】
本発明は、前記従来の課題を解決するもので、電動送風機の吸引圧力を増すことなく、かつ操作力を過度に増加することもなく、一時的に床用吸込具内部の圧力をより減圧し、その後、吸引を再開することで、集塵性能を高めた電気掃除機を提供することを目的とする。
【課題を解決するための手段】
【００１５】
前記従来の課題を解決するために、床用吸込具の下方には開口部と床面との間に隙間を設けるための突部を有し、さらに前記開口部の周囲のいずれかに流路遮断部を有しており、前記流路遮断部は床面に接触して前記開口部への吸引を遮断し前記床用吸込具内部を減圧することができ、その後、前記流路遮断部は床面から離れて前記開口部の吸引を再開することができる構成としたものである。
【００１６】
これによって、一時的に床用吸込具内部の圧力をより減圧し、その後、吸引を再開することで、吸引を再開した瞬間に開口部での吸引力が一気に増加して、多量の塵埃、絨毯等の床面に強固に絡みついた塵埃、絨毯の深部やフローリング等の目地に入り込んだ塵埃を吸込むことができるものである。
【発明の効果】
【００１７】
本発明の電気掃除機は、電動送風機の吸引圧力を増すことなく、かつ操作力を過度に増加することもなく、一時的に床用吸込具内部の圧力をより減圧し、その後、吸引を再開することで、集塵性能を高めることができ、さらに使い勝手を向上することができる。
【発明を実施するための最良の形態】
【００１８】
第１の発明は、電気掃除機の本体と、前記本体に内蔵され吸引力を発生させる電動送風
機と、一端を前記本体に接続され他端を延長管に接続される可撓性ホースと、前記延長管の一端に接続される床用吸込具と、前記床用吸込具の下方に設けた開口部と、前記開口部と床面との間に隙間を設定する突部と、前記開口部の全周囲あるいは少なくとも周囲のいずれか１箇所に設けた流路遮断部と、負圧を蓄える圧力貯蔵部を有し、前記流路遮断部が前記開口部と床面との間の隙間通じて前記開口部へ流れる吸引通路を開閉制御することで前記床用吸込具内部を減圧すると同時に前記圧力貯蔵部に蓄えられた負圧も加えて前記床用吸込具の内圧をさらに減圧する構成としたことにより、一時的に床用吸込具内部の圧力をより減圧し、その後、吸引を再開することで、吸引を再開した瞬間に開口部での吸引力が一気に増加して、多量の塵埃、絨毯等の床面に強固に絡みついた塵埃、絨毯の深部やフローリング等の目地に入り込んだ塵埃を吸込むことができ、電動送風機の吸引圧力を増すことなく、かつ操作力を過度に増加することもなく、集塵性能を高めることができ、さらに使い勝手を向上することができる。
また、圧力貯蔵部に蓄えられた負圧も加えているため吸引を再開した瞬間に開口部に発生する吸引力がさらに上昇して、圧力貯蔵部を有しない場合に比べて、さらに多くの塵埃を吸込むことができる。
【００１９】
第２の発明は、特に、第１の発明の流路遮断部を、弾性体としたことにより、流路遮断部が床面に接触するときに床面を損傷させることなく、高速で流路遮断部を床面に接触させることができる。さらに床面に段差が存在していたとしても流路遮断部が変形して床面と密着し床用吸込具内部の圧力を素早く高めることができる。
【００２０】
第３の発明は、特に、第１または第２の流路遮断部は、床面に最も近接した場合において、床面とは非接触とする構成としたことにより、流路遮断部が吸引を遮断するときに流路遮断部が床面を傷付けることなく、さらに流路遮断部が床面を叩く音を発生させることがない。
【００２１】
第４の発明は、特に、第１〜第３のいずれか１つの発明の流路遮断部は、吸引の遮断と再開を交互かつ自動的に連続して行う構成としたことにより、常に高い集塵性能を実現することができる。
【００２２】
第５の発明は、特に、第１〜第４のいずれか１つの発明の電気掃除機の塵埃吸引経路のいずれかの箇所に塵埃吸引の有無を検知する検知部と、前記検知部での検知信号を基に前記流路遮断部を制御する制御装置とを有し、塵埃の吸引を前記検知部にて検知した場合にのみ流路遮断部の開閉動作を行い、塵埃の吸引を検知していない場合には、流路遮断部を床面から離し隙間の開いた位置に固定する構成としたことにより、塵埃を吸引する場合にのみ流路遮断部を動作させるので、常に床用吸込具内部の圧力がより減圧され続けているのではないため、清掃作業中に床用吸込具が床面に吸着している総時間を減らすことができ、大きな操作力を必要とせずに清掃作業を行うことができる。
【００２７】
以下、本発明の実施の形態について、図面を参照しながら説明する。なお、この実施の形態によって本発明が限定されるものではない。
【００２８】
（実施の形態１）
図１（ａ）は、本発明の第１の実施の形態における電気掃除機の床用吸込具の流路遮断部の動作前及び動作後の状態を示す側断面図であり、図１（ｂ）は、動作時を示す側断面図である。また図２は電気掃除機の構成を示す側面図である。
【００２９】
図１（ａ）（ｂ）及び図２において、掃除機本体２１（以下単に本体２１という）には、電動送風機２２と集塵室２３を内蔵している。また床用吸込具２４の延長管２６側には回動部２７を設けてあり、この吸込具回動部２７を介して延長管２６へと回動自在に接続されている。この延長管２６と本体２１とは可撓性ホース２８によって接続されている。さらに延長管２６の一端には操作ハンドル２９を設けており、この操作ハンドル２９近傍に運転スイッチ３０を配している。なお延長管２６は伸縮式としており、使用者の身長に合わせて自在に長さを調節できるものである。
【００３０】
床用吸込具２４の下方には開口部４１を配してあり、同じく床用吸込具２４の下方には開口部４１と床面との距離を一定に保つために回転自在な走行ローラー２５ａ、２５ｂを複数個配している。
【００３１】
なお、床用吸込具２４の移動補助を目的に配された走行ローラーの代わりに、軽量化、簡素化、強度向上を目的とするために床用吸込具２４下方に複数個の突部を設けたり、また、清掃能力向上を目的とするために床用吸込具２４下方に複数個の起毛布や毛ブラシを設けても構わない。さらに走行ローラー、突部、起毛布、毛ブラシを混在して構成することもできる。
【００３２】
ここで開口部４１の周囲には流路遮断部４２、４３を有しており、この流路遮断部４２、４３は弾性体（例えばゴム、ウレタン、エラストマー、起毛布、植毛）である。
【００３３】
流路遮断部４２、４３は、床用吸込具２４に内蔵したアクチュエータ４４ａ（例えばソレノイド、ステッピングモータであり、内部にはスライド伸縮可能なスライド部４４ｂを有する）と可撓性の連結体４５ａ、４５ｂを介して連結してあり、連結体４５ａ、４５ｂは摺動ガイド部４６ａ、４６ｂ内を摺動する構成としている。
【００３４】
なお、摺動ガイド部４６ａ、４６ｂを、連結体４５ａ、４５ｂを保持し摺動させる位置に配する代わりに、流路遮断部４２、４３を保持し摺動させる位置に配しても構わない。
【００３５】
このときアクチュエータ４４ａの動作で流路遮断部４２、４３を上下させて床面と接触させることができる。
【００３６】
床用吸込具２４と延長管２６の接続部付近（例えば吸込具回動部２７）には塵埃の量を検知できる検知部４７を有しており、検知結果は本体２１に内蔵した制御回路４８へ送られる。ここで検知部４７は赤外線センサーを用いており、発光部４９から出したビームを受光部５０で受ける構成としており、塵埃が赤外線ビーム（矢印Ｇ）を通過することで検知することができる。
【００３７】
また、アクチュエータ４４ａも本体２１に内蔵した制御回路４８と接続されており、この制御回路４８からの信号で自在に動作するものである。
【００３８】
以上のように構成された電気掃除機について、以下その動作、作用を説明する。
【００３９】
清掃作業を行うために、使用者は操作ハンドル２９を手に持ち、床用吸込具２４を清掃面である床面に置く。そして運転スイッチ３０を操作することで電動送風機２２が動作を開始して吸引力が発生し、床用吸込具２４から床面の塵埃を吸込むことになる。このとき使用者は操作ハンドル２９を握りながら床用吸込具２４を床面に沿って略前後移動させることで、徐々に床面上の塵埃等を吸引することになる。
【００４０】
このとき床面へは走行ローラー２５ａ、２５ｂのみが接地しており、床用吸込具２４下面と床面との僅かな隙間（しかし塵埃等を吸引するには十分な隙間）から吸引を行う（矢印Ｂ、Ｅ）。ここから吸引された気流と塵埃は、さらに開口部４１を通過し、吸込具回動部２７、延長管２６、可撓性ホース２８を経て、集塵室２３へと流れ込み、この集塵室２３に塵埃が集塵されていく。さらに気流は電動送風機２２を通過し、本体２１外部へと排気される。
【００４１】
床用吸込具２４を床面に接地させた最初の段階では、アクチュエータ４４ａへの電力が供給されておらず、すなわち電源オフの状態にあり、アクチュエータ４４ａのスライド部４４ｂが最も収納されている。その結果、連結体４５ａ、４５ｂを介して連結されている流路遮断部４２、４３は床面から離れており、床面に散在する塵埃を床用吸込具２４の前後の隙間から吸引している（図１（ａ）の状態）。
【００４２】
清掃作業すなわち床用吸込具２４からの吸引を続けていて、単位時間当たりに検知部４７を通過する塵埃の量が多くなると、制御回路４８が指令を発しアクチュエータ４４ａへの電力が瞬時に供給され、すなわち瞬時に電源オンの状態になり、アクチュエータ４４ａのスライド部４４ｂが急速に突出される。その結果、連結体４５ａ、４５ｂを介して連結されている流路遮断部４２、４３の一端が床面に接触する（図１（ｂ）の状態）。
【００４３】
このとき床用吸込具２４の開口部４１の周囲はほぼ密閉状態となり、床用吸込具２４内部の圧力が減圧される。
【００４４】
さらに一定時間が経過すると制御回路４８からの指令でアクチュエータ４４ａへの電力供給が瞬時に停止し、アクチュエータ４４ａのスライド部４４ｂが急速に収納された状態になる。その結果、瞬時に流路遮断部４２、４３が床面から離され、床用吸込具２４下面と床面との隙間が形成される。そして床用吸込具２４内部の圧力が流速に変換され、一気に開口部４１へと吸引される強力な気流が発生し、この気流と共に床用吸込具２４の周囲や下方の塵埃が勢い良く吸引される。
【００４５】
このとき連結体４５ａ、４５ｂは、摺動ガイド４６ａ、４６ｂ内を沿って摺動しているので連結体４５ａ、４５ｂが変形したり外れたりせずに安定した摺動動作を行うことができる。
【００４６】
アクチュエータ４４ａ内スライド部４４ｂの伸縮動作を、検知部４７で塵埃の通過が検知されなくなるまで繰り返し行う。その後、制御回路４８にて床面の塵埃が無くなったと判断した時点で、アクチュエータ４４ａへの電力供給を停止して、再び流路遮断部４２、４３を床面から離した状態を維持し続ける（図１（ａ）の状態）。
【００４７】
以上のように、本実施の形態において、床用吸込具２４は下方に設けた吸引を行う開口部４１と、加えて床用吸込具２４の下方には開口部４１と床面との間に隙間を設けるための突部である走行ローラー２５ａ、２５ｂを有し、さらに開口部４１の周囲（特に前後部分）に流路遮断部４２、４３を有しており、流路遮断部４２、４３は床面に接触して開口部４１への吸引を遮断し床用吸込具２４内部を減圧することができ、その後、流路遮断部４２、４３は床面から離れて開口部４１の吸引を再開することができる構成としたことにより、一時的に床用吸込具内部の圧力をより減圧し、その後、吸引を再開することで、吸引を再開した瞬間に開口部での吸引力が一気に増加して、多量の塵埃、絨毯等の床面に強固に絡みついた塵埃、絨毯の深部やフローリング等の目地に入り込んだ塵埃を吸込むことができ、電動送風機の吸引圧力を増すことなく、集塵性能を高めることができる。
【００４８】
また、流路遮断部４２、４３を、弾性体としたことにより、流路遮断部４２、４３が床面に接触するときに床面を損傷させることなく、加えて流路遮断部４２、４３が床面に当たるときの衝突音を抑制することができる。さらに床面に段差が存在していたとしても流路遮断部４２、４３が床面の段差に沿って変形して密着するので、床用吸込具２４内部の圧力を素早く減圧することができる。
【００４９】
また、制御回路４８からの指令によりアクチュエータ４４ａへの電力供給を断続的に行い、流路遮断部４２、４３を連続的に上下動させて床用吸込具２４と床面との隙間の開閉を行う構成としたことにより、吸引の遮断と再開を交互かつ自動的に連続して行えるので、長時間に渡って常に高い集塵性能を実現することができる。
【００５０】
また、流路遮断部４２、４３の動作は、塵埃吸引の有無を検知する検知部４７を有し、塵埃の吸引を検知した場合にのみ吸引の遮断と再開を行い、塵埃を吸引していない場合には、流路遮断部４２、４３を床面から離した位置に固定する構成としたことにより、塵埃を吸引する場合にのみ流路遮断部４２、４３を動作させるので、常に床用吸込具２４内部の圧力がより減圧され続けているのではないため、清掃作業中に床用吸込具２４が床面に吸着している総時間を減らすことができ、大きな操作力を必要とせずに清掃作業を行うことができる。すなわち操作力を過度に増加することもなく、使い勝手を向上することができる。
【００５１】
さらに流路遮断部４２、４３を動作させるためにアクチュエータ４４ａを動作させるには電力等のエネルギーが必要であるが、塵埃を吸引した場合にのみアクチュエータ４４ａを動作させることになるため、常にアクチュエータ４４ａが動作している場合に比べてエネルギーの消費量が少なくすることができる。
【００５２】
また、図３は、本発明の第１の実施の形態の他の電気掃除機における床用吸込具の流路遮断部の動作時を示す側段面図であり、流路遮断部４２、４３の床面と接触する箇所を線形状から平坦部５１を持った面形状（例えば図３に示すような逆Ｔ字形状）としている。
【００５３】
ここで流路遮断部４２、４３が上下動して、流路遮断部４２、４３の平坦部５１が床面を叩くことになる。つまり平坦部５１という広い面積をもって床面を叩くことになるので、絨毯等の床面に強固に絡みついた塵埃、絨毯の深部やフローリング等の目地に入り込んだ塵埃を床面から舞い上げることで、より多量の塵埃を吸引することができる。
【００５４】
なお、本実施の形態において、流路遮断部４２、４３の床面と接触する形状を、平坦部を持った逆Ｔ字形状としたが、複数の線形状の集合体である櫛形状（ブラシ形状）、逆Ｙ形状とすることで、床面の広い範囲を叩きながら流路遮断部４２、４３が床面へ接触する面積を減らして、床用吸込具２４が移動するときの床面との摩擦抵抗を軽減し、大きな操作力を必要とせずに清掃作業を行うことができる。すなわち操作力を過度に増加することもなく、使い勝手を向上することができる。
【００５５】
また、図４は、本発明の第１の実施の形態の他の電気掃除機における床用吸込具の流路遮断部の動作時を示す側段面図であり、アクチュエータ４４ａ内のスライド部４４ｂが最も突出した状態、つまり流路遮断部４２、４３が床面に最も近接した場合において、床面とは非接触とする構成としている。図４で示す隙間Ｈは、ほぼゼロに近い微小隙間に設定できることが望ましい。
【００５６】
これにより、流路遮断部４２、４３の先端が床面に最も近接し吸引を遮断するときに、流路遮断部４２、４３が床面を傷付けることなく、さらに流路遮断部が床面を叩く音を発生させることがない。
【００５７】
なお、本実施の形態において、検知部４７を赤外線センサーとしたが、超音波センサーとしても構わない。
【００５８】
なお、本実施の形態において、検知部４７にて塵埃を検知した場合に、制御回路４８はアクチュエータ４４ａの動作のみを制御しているが、同時に電動送風機２２の入力制御を行うことで効率的に消費電力を抑えることができる。
【００５９】
すなわち検知部４７にて塵埃を検知していない場合には、アクチュエータ４４ａのスライド部４４ｂを収納しており、同時に電動送風機２２の入力を抑えて少量の塵埃が吸引できる程度の状態にしておく。次に検知部４７が塵埃を検知した時点で、アクチュエータ４４ａのスライド部４４ｂを突出させると同時に、電動送風機２２への電力供給を増やして吸引力を増大させるものである。
【００６０】
また、検知部４７での検知情報、つまり吸引している塵埃の量を段階的に把握し、例えば、塵埃が最も少ない段階ではアクチュエータ４４ａのスライド部４４ｂを収納しており、かつ電動送風機２２への電力供給を抑えておく、そして塵埃が少し多くなった段階で電動送風機２２への電力供給は変えず（抑えたままで）、スライド部４４ｂのみ動作させる。さらに塵埃が多くなった段階では、電動送風機２２への電力供給を増やしても構わない。
【００６１】
（実施の形態２）
図５（ａ）は、本発明の第２の実施の形態の床用吸込具の流路遮断部の動作前及び動作後の状態を示す側段面図であり、図５（ｂ）は、動作時を示す側段面図である。
【００６２】
なおアクチュエータ以外の構成は第１の実施の形態と同様であるので、その詳細な説明を省略するものである。
【００６３】
図５（ａ）（ｂ）において、床用吸込具２４上部に筒状の動力部６１を設けており、この内部には圧力変換部６２と弾性体部６３（例えば圧縮ばね、引張ばね、板ばね、ゴム）を配している。動力部６１内部の空間は床用吸込具２４内部と連通しており、動力部６１は圧力変換部６２によって外気（大気圧）と床用吸込具２４内部を仕切る構成としている。
【００６４】
さらに圧力変換部６２は弾性体部６３の弾性力によって床用吸込具２４内部側から外気側へと押付け力が作用するように配されている。
【００６５】
そして上下動可能な圧力変換部６２天板の床用吸込具２４側には支柱６４を設けてあり、この支柱６４は実施の形態１で説明したスライド部４４ｂに相当するスライド部６５へクランク可動ができるクランク部６６を介して接続されている。ここでスライド部６４は連結体４５ａ、４５ｂに連結されている。
【００６６】
以上のように構成された電気掃除機について、以下その動作、作用を説明する。
【００６７】
清掃作業開始時には、図５（ａ）に示すように、圧力変換部６２天板が弾性体部６３に押付けられて外気に最も近い場所（最上部）に位置しており、その時、支柱６４、クランク部６６を介して接続されたスライド部６５も圧力変換部６２に引っ張られ収納されている。これにより連結体４５ａ、４５ｂを介して流路遮断部４２、４３も床面から離れた場所に位置しており、床用吸込具２４周囲から吸引を行っている（矢印Ｂ、矢印Ｃ、矢印Ｅ）。
【００６８】
清掃作業中は、床面の段差や床用吸込具２４の僅かな傾斜が引き金となって床用吸込具２４と床面との距離が縮まり、その結果、床用吸込具２４内部の吸引圧力が強くなる。この時、動力部６１内の圧力変換部６２天板が床用吸込具２４側に引かれる圧力が弾性体部６３の弾性力より大きくなり始めて圧力変換部６２天板が床用吸込具２４内部側へと移動する。
【００６９】
これに伴い支柱６４が床用吸込具２４内部側（下方）へと移動し、この下方へ移動した鉛直移動成分をクランク部６６にて水平方向成分に変換し、スライド部６５を突出させる。
【００７０】
そしてスライド部６５に連結した連結体４５ａ、４５ｂを介して流路遮断部４２、４３を床面に近付けさせる。こうすることでさらに床用吸込具２４内部の吸引圧力が強まる（減圧される）ため、さらに圧力変換部６２天板が床用吸込具２４内部側（下方）へと引かれながら移動し、流路遮断部４２、４３を床面に近付ける。
【００７１】
最終的には、圧力変換部６２天板が最も降下し、同じく流路遮断部４２、４３が床面に接地する（もしくは床面に最も近接する）ので、床用吸込具２４内部を減圧できる（図５（ｂ）の状態）。
【００７２】
一方、流路遮断部４２、４３が床面に接地している状態において、床面の段差や床用吸込具２４の僅かな傾斜が引き金となって床用吸込具２４と床面との距離が離れると、床用吸込具２４内部の吸引圧力が弱くなり、動力部６１内の圧力変換部６２天板が床用吸込具２４側に引かれる圧力が弾性体部６３の弾性力より小さくなり始めて圧力変換部６２天板が外気側（上方）へと移動し、スライド部６５を収納する。
【００７３】
そしてスライド部６５に連結した連結体４５ａ、４５ｂを介して流路遮断部４２、４３を床面から離すことになる。こうすることでさらに床用吸込具２４内部の吸引圧力が弱まるため、さらに圧力変換部６２天板が外気側（上方）へと引かれながら移動し、流路遮断部４２、４３を床面から離すことになる。
【００７４】
最終的には、圧力変換部６２天板が最も上昇し、同じく流路遮断部４２、４３が床面から離れるので、床用吸込具２４内部の吸引圧力を弱めて床用吸込具２４と床面の隙間から吸引することができる（図５（ａ）の状態）。
【００７５】
以上のように、本実施の形態において、流路遮断部４２、４３を作動させる動力部６１を有し、動力部６１は床用吸込部２４内部の吸引圧力を動力に変換する圧力変換部６２と、弾性体部６３から成り、流路遮断部４２、４３を床面に接触させるときには圧力変換部６２の動作力を用い、その後、流路遮断部４２、４３を床面から離すときには弾性体部６３の動作力を用いる構成としたことにより、掃除機が本来持っている吸引力以外に新たにエネルギー源（例えば商用電源、電池）を必要とせずに、簡易な構成で実現することができる。
【００７６】
なお、動力部６１の動作を、検知部４７の検知結果から塵埃を吸引しているときのみ動作する構成としても構わない。
【００７７】
すなわち検知部４７にて塵埃の吸引を検知していないときには圧力変換部６２天板は最上部の位置で固定され、塵埃の吸引を検知した場合に制御回路４８からの指令で圧力変換部６２天板の固定が解除されて動作可能な状態となる。
【００７８】
このとき圧力変換部６２天板の固定方法は、例えば、圧力変換部６２天板自体を鉄芯として、外周部にコイルを内蔵した電磁石を用いるか、圧力変換部６２天板下方にソレノイドで突出、収納可能なストッパーを用いる方法がある。
【００７９】
もしくは圧力変換部６１内部と床用吸込具２４内部とを連通する空気通路の途中に、開閉可能な電動の弁を設けて、この弁を塵埃の吸引を検知しているときに開放する構成としても構わない。
【００８０】
また、動力部６１の動作（上下動）から生じる運動エネルギーをコイル等を用いて電気エネルギーに変換し、検知部４７を動作させる電源として使用することも可能である。
【００８１】
次に、図６（ａ）は、本発明の第２の実施の形態の他の床用吸込具の流路遮断部の動作前の状態を示す側段面図であり、図６（ｂ）は、動作後の状態を示す側段面図である。
【００８２】
なおアクチュエータ以外の構成は第１の実施の形態と同様であるので、その詳細な説明を省略するものである。
【００８３】
図６（ａ）（ｂ）において、床用吸込具２４内部には、外周にブラシ毛、起毛布、ゴムリップ等を配した回転子７１を内蔵しており、回転子７１が回転することにより掻き揚げ力が発生して床面から塵埃を離脱させるものである。
【００８４】
また、この回転子７１を回転させる動力源は、例えばモータ、タービン、吸引の気流、床用吸込具２４下面に配した移動用の走行ローラー２５ａ、２５ｂ等がある。
【００８５】
ここで回転子７１の一端には、プーリ７２を連結してあり、さらにこのプーリ７２には伝達部である歯付きベルト７３の一端を掛けている。歯付きベルト７３の他端は動力変換部７４と接続されている。
【００８６】
この動力変換部７４では、歯付きベルト７３の前後動を歯車に伝え、さらに別の歯車を経てアクチュエータ４４ａ内のスライド部４４ｂを前後動させる構成としている。そしてスライド部４４ｂが最も突出した状態と最も収納された状態のときに歯車の回転方向が切り替わり、歯付きベルト７３の回転方向が同一のままでもスライド部４４ｂが突出、収納を繰り返す構成としている。
【００８７】
清掃を開始して回転子７１が回転し始めると、連結されたプーリ７２が回転、併せて歯付きベルト７３も回転し始める。そして歯付きベルト７３が一定方向に回転していると、アクチュエータ４４ａ内のスライド部４４ｂが突出、収納を繰り返し、同じく流路遮断部４２、４３も上下動を繰り返すことになる。
【００８８】
以上のように、床用吸込具２４に内蔵した回転子７１の回転力を伝達する伝達部である歯付きベルト７３を設け、この歯付きベルト７３からの動作力を流路遮断部４２、４３の作動させる動力に変換する動力変換部７４を有する構成としたことにより、回転子７１を有する掃除機が本来持っている回転子７１の回転力以外に新たにエネルギー源を必要とせずに、簡易な構成で実現することができる。
【００８９】
また、回転子７１の回転方向を常時に切替えることで（例えば回転子７１が前回転する場合にスライド部４４ｂが突出、後回転する場合にスライド部４４ｂが収納）、歯付きベルト７３とスライド部４４ｂとの間に連結されている歯車の個数を減らすことができる、より軽量で簡易な構成とすることができる。
【００９０】
なお、本実施の形態において、伝達部として歯付きベルト７３を用いたが、複数個の歯車を用いて伝達しても構わない。
【００９１】
（実施の形態３）
図７（ａ）は、本発明の第３の実施の形態の床用吸込具の流路遮断部の動作前の状態を示す側段面図であり、図７（ｂ）は、動作後の状態を示す側段面図である。
【００９２】
なお圧力貯蔵部以外の構成は第１の実施の形態と同様であるので、その詳細な説明を省略するものである。
【００９３】
図７（ａ）（ｂ）において、床用吸込具２４上部に圧力貯蔵部８１を設けており、この圧力貯蔵部８１は減圧容器８２（例えば、真空タンク）と、この減圧容器８２と床用吸込具２４内部を連通する配管部８３と、この配管部８３の通気を開閉する駆動弁部８４から構成されている。
【００９４】
さらに減圧容器８２には減圧装置８５（例えば、真空ポンプ）が配管接続されており、この減圧装置８５によって減圧容器８２内を減圧することができる。
【００９５】
以上のように構成された電気掃除機について、以下その動作、作用を説明する。
【００９６】
掃除機に電力が供給され始めると制御回路４８の指令で、自動的に減圧装置８５が作動を開始して圧力貯蔵部８１の減圧容器８２内を減圧し始める。所定の負圧に達すると減圧装置８５は作動を停止し、減圧容器８２内の圧力を一定に保つようにする。
【００９７】
そして清掃作業開始時には、図７（ａ）に示すように、流路遮断部４２、４３は床面から離れている状態であり、減圧容器８２内と床用吸込具２４内部を連通する配管部８３は駆動弁部８４によって閉じられている。
【００９８】
そこで図７（ｂ）に示すように、実施の形態１での説明と同様に検知部４７にて塵埃が吸引され始めたことを検知すると、アクチュエータ４４ａ内のスライド部４４ｂが動作し、流路遮断部４２、４３が床面に接触して床用吸込具２４内部の圧力を高める。
【００９９】
この時、制御回路４８からの指令で駆動弁部８４が作動し弁が開放され、床用吸込具２４内部と減圧容器８２内部が連通し、床用吸込具２４内がさらに減圧される。
【０１００】
その後、一定時間が経過後に駆動弁部８４が作動し弁が閉じ、床用吸込具２４内部と減圧容器８２内部が遮断される。
【０１０１】
続けてアクチュエータ４４ａ内のスライド部４４ｂが動作し、流路遮断部４２、４３が床面から離れて、吸引を行う。
【０１０２】
以上のように、本実施の形態において、負圧を蓄える圧力貯蔵部８１を有し、流路遮断部４２、４３を床面に接触して床用吸込具２４の内圧をさらに減圧すると同時に圧力貯蔵部８１に蓄えた負圧も加えて床用吸込具２４の内圧をさらに減圧する構成としたことにより、吸引を再開した瞬間に開口部４１に発生する吸引力がさらに上昇して、圧力貯蔵部８１を有しない場合に比べてさらに多くの塵埃を吸込むことができる。
【０１０３】
なお、本実施の形態において、減圧装置８５を用いて減圧容器８２内を減圧したが、減圧装置８５を用いずに、本体２１内蔵の電動送風機２２の吸引圧力を利用して減圧容器８２内部を減圧する構成とすることで床用吸込具２４を軽量、簡易化することができる。
【産業上の利用可能性】
【０１０４】
以上のように、本発明にかかる電気掃除機は、電動送風機の吸引圧力を高めることなく、かつ操作力を過度に増加することもなく、一時的に床用吸込具内部の圧力を高め、その後吸引を再開することで、集塵性能を高めることができ、さらに使い勝手を向上することができるので、一般家庭等で使用される電気掃除機等として有用である。
【図面の簡単な説明】
【０１０５】
【図１】（ａ）本発明の実施の形態１における電気掃除機の床用吸込具の流路遮断部の動作前の状態を示す側段面図（ｂ）同、床用吸込具の流路遮断部の動作時の状態を示す側段面図
【図２】同、電気掃除機の構成を示す側面図
【図３】同、床用吸込具の流路遮断部の動作時を示す側段面図
【図４】同、床用吸込具の流路遮断部の動作時を示す側段面図
【図５】（ａ）本発明の実施の形態２における電気掃除機の床用吸込具の流路遮断部の動作前の状態を示す側段面図（ｂ）同、床用吸込具の流路遮断部の動作時の状態を示す側段面図
【図６】（ａ）同、床用吸込具の流路遮断部の動作前の状態を示す側段面図（ｂ）同、床用吸込具の流路遮断部の動作時の状態を示す側段面図
【図７】（ａ）本発明の実施の形態３における電気掃除機の床用吸込具の流路遮断部の動作前の状態を示す側段面図（ｂ）同、床用吸込具の流路遮断部の動作時の状態を示す側段面図
【図８】（ａ）従来の電気掃除機の床用吸込具の前進時の状態を示す側段面図（ｂ）同、後退時を示す側段面図
【図９】従来の電気掃除機の構成を示す側面図
【図１０】（ａ）他の従来の電気掃除機の床用吸込具の床面清掃時の状態を示す側段面図（ｂ）同、床用吸込具の壁際清掃時の状態を示す側段面図
【符号の説明】
【０１０６】
２１  掃除機本体
２２  電動送風機
２４  床用吸込具
２５ａ、２５ｂ  走行ローラー（突部）
２６  延長管
２８  可撓性ホース
４１  開口部
４２、４３  流路遮断部
４７  検知部
６１  動力部
６２  圧力変換部
６３  弾性体部
７１  回転子
７３  歯付きベルト（伝達部）
７４  動力変換部
８１  圧力貯蔵部
【図１】
0004696789.tif 000002
【図２】
0004696789.tif 000003
【図３】
0004696789.tif 000004
【図４】
0004696789.tif 000005
【図５】
0004696789.tif 000006
【図６】
0004696789.tif 000007
【図７】
0004696789.tif 000008
【図８】
0004696789.tif 000009
【図９】
0004696789.tif 000010
【図１０】
0004696789.tif 000011